(57)【要約】【課題】  従来の方法では、ネイルアートの施術やホビー・玩具等の加工の際に発生する手元の粉塵が室内に舞い上がる前に回収したり、揮発し始めた有機溶剤が室内に拡散する前に回収することが、何れもできなかった。【解決手段】  筐体１の上面板１ａに開口部１ｂを設け、開口部１ｂの位置にエアーを筐体内に吸引するファン２を取り付けた作業台Ｗを用いる。作業台Ｗは、筐体１の側面板１ｃにファン２が吸引したエアーを筐体外へ排気するための排気口１ｄを設けるとともに、排気口１ｄの筐体内側に、ファン２が吸引したエアーに含まれる粉塵を除去する粉塵フィルター３ａと、前記エアーに含まれる揮発した有機溶剤を除去する脱臭フィルター３ｂを配設した構成としている。【選択図】        図２
2010104611.tif 000002
【特許請求の範囲】
【請求項１】
筐体の上面板に開口部を設け、前記開口部又は前記開口部の下方の位置にエアーを筐体内に吸引するファンを取り付けた作業台であって、前記筐体の側面板に、前記ファンが吸引したエアーを筐体外へ排気するための排気口を設けるとともに、前記排気口の筐体内側に、前記エアーに含まれる粉塵を除去する粉塵フィルターと、前記エアーに含まれる揮発した有機溶剤を除去する脱臭フィルターを配設したことを特徴とする作業台。
【請求項２】
前記脱臭フィルターは、前記粉塵フィルターと前記排気口の間に配設したことを特徴とする請求項１に記載の作業台。
【請求項３】
前記上面板の周縁部から前記開口部の開口縁に向けて傾斜面を形成し、前記開口部の高さ位置を前記上面板の周縁部の高さ位置よりも低くして、前記上面板を漏斗状に形成したことを特徴とする請求項１又は２に記載の作業台。
【請求項４】
前記上面板の周縁部に、前記傾斜面の上方を覆うように網状部材を取付けたことを特徴とする請求項３に記載の作業台。
【請求項５】
前記筐体は平面視矩形であって、４枚の側面板の内、対向する２枚の側面板に、夫々前記排気口を設けたことを特徴とする請求項１〜４の何れかに記載の作業台。
【請求項６】
前記筐体の上面に、手首を載置するリストレスト部を設けたことを特徴とする請求項１〜５の何れかに記載の作業台。
【請求項７】
請求項５記載の作業台において、前記筐体の上面で、かつ、前記排気口を設けない側面板と前記筐体の上面とが交わる辺に沿わせた位置に、手首を載置するリストレスト部を設けたことを特徴とする作業台。
【請求項８】
前記開口部の上方を覆うカバー部を設けたことを特徴とする請求項１〜７の何れかに記載の作業台。
【発明の詳細な説明】
【技術分野】
【０００１】
本発明は、例えばネイルアートにおいて爪に加工を施す場合や、小型のルーターを用いて玩具やホビーの研削又は切削加工を行う場合などに用いる作業台に関する。
【背景技術】
【０００２】
ネイルサロンにおいて、ネイリストが顧客の自爪に装飾を施したり、人工爪を加工して取り付ける場合、机の上に作業台を設置し、その上に例えば下記特許文献１に示すようなネイルアート台を置いて施術するのが一般的である。
【特許文献１】特開２００６−２５５０８８号公報
【０００３】
その際、ネイリストは、アクリル酸、アセトンなどを含む有機溶剤が入った容器を作業台の上に置いて長時間かけて施術するため、時間の経過とともに有機溶剤が揮発し、揮発した有機溶剤がネイルサロンの店内に拡散する。
【０００４】
また、ネイリストは、作業台の上で、ヤスリ、ブラシなどの研磨用具を用いて顧客の自爪や人工爪を加工するため、作業台の周辺には、加工の際に生じた爪の粉塵が飛散して舞い上がり、舞い上がった粉塵がネイルサロンの店内に拡散してしまう。
【０００５】
そのため、作業台の近くにいるネイリストや顧客だけでなく、同じ室内にいる他のネイリストや顧客、スタッフも、揮発した有機溶剤や粉塵を吸い込むことになり、健康上、問題がある。また、昨今では、自宅で、アクリルパウダーとリキッドモノマーを混ぜて自爪上に人工爪を形成するスカルプチュアを行う人もいるが、スカルプチュアにおいても、人工爪の研磨時に発生する粉塵や、揮発したリムーバーやモノマー等を吸い込むことによる同様の健康上の問題がある。
【０００６】
特に、ネイリストは、職業上、日常的に有機溶剤や粉塵を吸い込む環境にいるため、アレルギーを発症するリスクが高い。実際、専門学校などで技術を習得してネイリストになっても、アレルギーを発症してやむなく転職をするケースがある。
【０００７】
一方、家庭での趣味や手作り商品の加工現場などにおいて、例えば小型のルーターを使用して、作業台の上に置いた玩具やホビーの表面を研削したり、切削する作業が行われている。ところが、室内で研削又は切削加工を行うと、樹脂、木、ガラス、金属などの粉塵が舞い上がって室内に拡散するため、作業者が粉塵を吸い込むという、ネイルサロンと同様の問題が生じている。また、玩具やホビーの製作において使用されるニスや接着剤は、揮発性であるため、室内に拡散すると、健康上の問題がある。
【０００８】
従来、ネイルサロンや自宅でネイルアートを行う場合、あるいは、玩具やホビーの加工を行う場合は、換気扇や空気清浄機を利用して、揮発した有機溶剤や舞い上がった粉塵を除去していた。また、下記特許文献２には、有機溶剤の揮発ガスを吸込用ヘッドから吸引し、放出部から外部へ放出する装置であって、吸引用ヘッドと放出部の間に、吸込用ヘッドから吸引された揮発ガスを吸着・脱臭するフィルター装置と中和剤を介装した構成の揮発ガス吸着・脱臭装置が開示されている。
【特許文献２】特開２００７−１１７６８４公報
【０００９】
また、従来、作業台の周囲に飛散した粉塵は、ネイルアートの施術やホビー・玩具等の加工作業が終了した後に、小型の掃除機を使用して吸引する場合もあった。
【００１０】
しかしながら、換気扇や空気清浄機は、自爪や人工爪などを削ったときに発生する手元の粉塵や、揮発し始めた有機溶剤を、室内に拡散する前にその場で回収することはできないという問題があった。
【００１１】
また、特許文献２の揮発ガス吸着・脱臭装置も、作業台と吸込用ヘッドの間には距離があるので、揮発し始めた有機溶剤が拡散する前に回収したり、手元の粉塵が舞い上がる前に回収することができない点で、同様の問題があった。
【００１２】
また、掃除機による清掃も、事後的な処置である上、手間と時間がかかるという問題があった。しかも、粉塵は部屋全体に飛散し、手の届きにくい隙間にも入り込むため、掃除機で完全に掃除することは難しい。
【００１３】
本発明は、上記した従来の問題点に鑑みてなされたものであり、ネイルアートの施術やホビー・玩具等の加工の際に生じる粉塵や揮発した有機溶剤が、室内に拡散する前に、速やかに回収することができる作業台を提供することを目的としている。
【発明の開示】
【発明が解決しようとする課題】
【００１４】
本発明が解決しようとする課題は、従来の技術では、ネイルアートの施術やホビー・玩具等の加工の際に発生する手元の粉塵が室内に舞い上がる前に回収したり、揮発し始めた有機溶剤が室内に拡散する前に回収することが、できない点である。
【課題を解決するための手段】
【００１５】
上記の課題を解決するために、本発明の作業台は、
筐体の上面板に開口部を設け、前記開口部又は前記開口部の下方の位置にエアーを筐体内に吸引するファンを取り付けた作業台であって、前記筐体の側面板に、前記ファンが吸引したエアーを筐体外へ排気するための排気口を設けるとともに、前記排気口の筐体内側に、前記エアーに含まれる粉塵を除去する粉塵フィルターと、前記エアーに含まれる揮発した有機溶剤を除去する脱臭フィルターを配設したこと、
を最も主要な特徴点としている。
【発明の効果】
【００１６】
本発明によれば、ファンを回転駆動させながら筐体の上面でネイルアートの施術やホビーの加工を行うと、それらの作業中に発生する手元の粉塵は、室内に舞い上がる前に、開口部から筐体内に吸引される。また、ネイルアートにおいて使用される揮発性の有機溶剤も、室内に拡散する前に、開口部から筐体内に吸引される。そして、筐体内に吸引されたエアーに含まれる粉塵又は有機溶剤は、排気口の筐体内側に配設された粉塵フィルターと脱臭フィルターによって除去されるので、排気口からは、粉塵や有機溶剤が除去された清浄なエアーが排出される。
【００１７】
したがって、本発明の作業台を用いれば、粉塵や有機溶剤が室内に拡散するのを可及的に抑制することができるので、空気中に拡散した粉塵や有機溶剤を吸い込むことによってアレルギーなどの健康上の障害が発生していた従来の問題点を解消できる。
【発明を実施するための最良の形態】
【００１８】
以下、本発明の最良の実施形態を、図１〜図５に基づいて説明する。図１は本実施例の作業台を上方から見た説明図、図２は図１のＡ−Ａ’線における断面図、図３はファンを２つ設けた第２実施例の説明図、図４はカバー部を設けた第３実施例の説明図、図５は図４のＢ−Ｂ’線における断面図である。
【００１９】
本実施例の作業台Ｗは、図１に示すように、平面視矩形状の筐体１を備えており、筐体１の上面板１ａの中央には方形状の孔が開口し、開口部１ｂが設けられている。
【００２０】
開口部１ｂには、図１〜図２に示すように、電動モーター（図示は省略）によって回転駆動され、エアーを開口部１ｂから筐体１の内部に吸引するファン２が取り付けてある。また、筐体１の側面板１ｃには、図２に示すように、ファン２が吸引したエアーを筐体外へ排気するための排気口１ｄを設けている。図２では、左右に各１個の排気口１ｄが表れているが、左右の側面板１ｃには、同様の排気口が水平方向に各５個ずつ開口している。なお、図１において、６は、電動モータを起動させるスイッチを示しており、ファンの回転速度を変化させることにより、吸引する風量を調節する風量コントローラの機能を兼ね備えている。
【００２１】
図２に示すように、排気口１ｄの筐体内方側には、先ず、排気口１ｄに接する位置に、ファン２が吸引したエアーに含まれる有機溶剤を除去する脱臭フィルター３ｂを設け、脱臭フィルター３ｂよりもさらに内側の位置に、ファン２が吸引したエアーに含まれる粉塵を除去する粉塵フィルター３ａを配設している。
【００２２】
本実施例では、粉塵フィルター３ａは、不織布製のものを使用している。しかし、粉塵を捕捉できるものであれば、他の材質のものに代替することも可能である。例えば、スポンジフィルタや、紙製のフィルタが使用できる。
【００２３】
また、本実施例では、脱臭フィルター３ｂは、不織布の間に有機溶剤を吸着する作用を有する活性炭を挟み込むことにより担持させたフィルターを使用している。脱臭フィルター３ｂは、揮発した有機溶剤を捕捉できるものであれば、他のフィルターに代替することも可能であり、例えば、不織布の間にゼオライト等を担持させた化学吸着型のフィルターであっても良い。
【００２４】
このように、本実施例は、筐体１の上面板１ａに開口部１ｂを設け、開口部１ｂの位置にエアーを筐体内に吸引するファン２を取り付けた作業台Ｗであって、筐体１の側面板１ｃにファン２が吸引したエアーを筐体外へ排気するための排気口１ｄを設けるとともに、排気口１ｄの筐体内側に、ファン２が吸引したエアーに含まれる粉塵を除去する粉塵フィルター３ａと、前記エアーに含まれる揮発した有機溶剤を除去する脱臭フィルター３ｂを配設した構成である。
【００２５】
なお、本実施例では、筐体１の側面板１ｃの高さを３０ｍｍ〜５０ｍｍ程度の薄型にしているため、開口部１ｂの位置にファン２を取り付けているが、筐体１の高さが十分である場合は、開口部１ｂの下方の位置にファン２を取り付けても良い。
【００２６】
また、本実施例では、ファン２は、プロペラ式ファン（軸流式ファン）を使用しているが、シロッコ式ファン（遠心式ファン）を使用することもできる。何れを使用した場合でも、電動モータ及びファンの音は静かであり、静音で集塵・脱臭ができる。もっとも、薄型で邪魔にならず利用しやすい作業台とするためには、プロペラ式のファン２を開口部１ｂの位置に取り付ける本実施例の作業台Ｗの構成が最も望ましい。
【００２７】
本実施例の作業台Ｗは、特に、図２に示すように、脱臭フィルター３ｂは、粉塵フィルター３ａと排気口１ｄの間に配設している。このようにした理由は、ファン２が吸引したエアーには、有機溶剤と粉塵の両方が含まれているところ、先ず、粒子の大きい粉塵を粉塵フィルター３ａによって取り除いた後に、粒子の小さい有機溶剤を脱臭フィルター３ｂで除去する順序で処理する方が、両フィルターを効率的に使用することができ、フィルターの寿命が長くなるからである。なお、筐体１の底面板１ｅの上にも脱臭フィルター３ｂを取り付けることにより、揮発した有機溶剤に対する吸収性能をさらに高めることもできる。
【００２８】
また、本実施例では、図２に示すように、筐体１の上面板１ａの周縁部１ａａから開口部１ｂの開口縁１ｂａに向けて傾斜面１ａｂを形成し、開口部１ｂの高さ位置を上面板１ａの周縁部１ａａの高さ位置よりも低くして、上面板１ａを漏斗状に形成している。このように、上面板１ａを漏斗状に形成すれば、開口部１ｂに直接落ちなかった粉塵は、開口部１ｂに向けて下り勾配が付いている傾斜面１ａｂの上に落ちることになるので、徐々に開口部１ｂの方向に吸引することができる。したがって、上面板１ａを漏斗状に形成した場合は、上面板１ａ上に回収されずに残ってしまう粉塵の量は少なくなり、残った粉塵が再び飛散することも少なくできるので、好適である。
【００２９】
また、上記のように上面板１ａを漏斗状に形成する場合は、上面板１ａの周縁部１ａａに、傾斜面１ａｂの上方を覆うように網状部材４を取付けることが望ましい。このようにすれば、網状部材４の上面を、水平な作業面として使用できるので、上面板１ａを漏斗状のものとした場合でも作業がし易いからである。なお、網状部材４としては、金網やパンチング板などが使用できる。
【００３０】
筐体１は、図１に示すように、平面視矩形（長方形状）であって、４枚の側面板を有している。本実施例では、図２に示すように、４枚の側面板の内、対向する２枚の側面板１ｃ，１ｃに、夫々排気口１ｄ，１ｄを設けている。このようにすれば、上面板１ａの中央に設けた開口部１ｂから吸引したエアを、左右２方向に排出することができるので、排気の流れが良好となる。
【００３１】
本実施例の作業台Ｗは、例えばネイルサロンにおいて、ネイリストが顧客の自爪に装飾を施す場合に使用するネイルアート用作業台であるため、筐体１の上面に、図１に示すように、ネイルアートの施術を受ける者の手首を載置するリストレスト部５を設けている。リストレスト部５は、図２に示すように、筐体１の上面に、作業面となる網状部材４よりも高さが高くなるようにしている。このようにすれば、施術が長時間に及ぶ場合でも、顧客は手首をリストレスト部５の上に載せておくことができるので手首が疲れず、一方、ネイリストも顧客の手首がしっかりと固定されて作業し易いので、好適である。
【００３２】
さらに、本実施例では、リストレスト部５は、図１〜図２に示すように、筐体１の上面で、かつ、排気口１ｃを設けない側面板と筐体１の上面とが交わる辺に沿わせた位置に、手首を載置する樹脂製のリストレスト部５を設けている。すなわち、作業台Ｗは、図１の紙面上方に顧客が座り、図１の紙面下方にネイリストが座る位置関係を想定し、筐体外へ排出するエアーは、図１の紙面左右方向に流れるように、リストレスト部５と排気口１ｄを設ける位置を考慮した。このようにすれば、顧客やネイリストに、排気口１ｄから排出されるエアーが当たることがないので、好適である。なお、排気口１ｃを設けない側面板と筐体１の上面とが交わる辺は２本あるが、その内、何れか一方の辺に沿わせるようにリストレスト部５を設ければ良い。
【００３３】
次に、本発明の作業台Ｗよって得られる作用・効果について説明する。例えばネイルサロンにおいて、ネイリストが作業台Ｗ上で、顧客の自爪に装飾を施したり、人工爪を取り付ける作業を行う場合、先ず、スイッチ６をＯＮにして電動モータを駆動し、ファン２を回動させる。これにより、上面板１ａの中央に設けた開口部１ｂから筐体１の内部へエアーが吸引される状態となる。
【００３４】
その後、ネイリストは、ヤスリやブラシを用いて顧客の自爪や人工爪に対して研磨作業等を行ったり、接着剤を塗布してネイルチップを接着する。従来のように換気扇や空気清浄機を用いた場合は、加工時に発生する粉塵が舞い上がろうとするが、本発明の作業台Ｗを使用した場合は、ファン２の作用により、粉塵を含むエアーは、室内に拡散する前に、網状部材４のメッシュ部分を通って開口部１ｂから筐体１の内部に吸引される。また、ネイルアートにおいて使用される接着剤やリムーバーなどの揮発性の有機溶剤の容器も、作業台Ｗの上に置くようにすれば、揮発蒸散して室内に拡散する前に、網状部材４のメッシュ部分を通って開口部１ｂから筐体１の内部に吸引される。
【００３５】
このようにして、筐体１の内部に吸引されたエアーは、粉塵フィルター３ａ、脱臭フィルター３ｂの順に通過するときに、粉塵と揮発した有機溶剤が共に除去されるので、排気口１ｄから筐体外に排気されるエアーは、粉塵及び有機溶剤を含まないエアーとなる。したがって、ネイリストや顧客を、粉塵や有機溶剤から保護することができる。また、作業台Ｗは、上面板１ａに設けた開口部１ｂにファン２を取り付けているので、排気ホースが不要で、薄型のコンパクトな構造となっている。そのため、嵩張ることがなく、簡単に移動させることができる。
【００３６】
なお、粉塵フィルタ３ａ、脱臭フィルタ３ｂは、所定の時間使用すると回収効率が低下する。また、筐体内には、吸引した粉塵が溜まるので、所定の時間使用した後は、清掃する必要がある。そのため、筐体１において、ファン２を設けた開口部１を含む上面板１ａの部分は、側面板１ｃ、底面板１ｅを含む他の部分とは、引き出し式又は開閉式によって分離可能に構成している。網状部材４と上面板１ａを取り外せば、筐体１の内部に溜まった粉塵を捨てたり、粉塵フィルタ３ａと脱臭フィルタ３ｂを新しいフィルタに交換する作業が容易に行える。
【００３７】
以上の実施例では、上面板１ａの中央に開口部１ｂを１つ開口させる例を開示したが、ホビー・玩具等の制作物の大きさやネイルアートの作業内容に応じて吸引力を高める必要がある場合は、図３に示す第２実施例の作業台Ｗ２のように、上面板１０ａの中央左寄りの位置と右寄りの位置に、第１開口部１０ｂ１，第２開口部１０ｂ２の２つの開口部を並べて開口させ、それらの開口部の下方の位置に、夫々、第１ファン２１，第２ファン２２を設けた構成とすることもできる。
【００３８】
第３実施例の作業台Ｗ３は、図４に示すように、上面板５０ａの左寄り上方の位置と右寄り上方の位置に、第１開口部５０ｂ１，第２開口部５０ｂ２の２つの開口部を並べて開口させ、こららの開口部５０ｂ１，５０ｂ２の上方を覆うカバー部９０を設けたことを特徴とする作業台である。開口部５０ｂ１，５０ｂ２の下方の位置には、夫々、第１ファン６１，第２ファン６２を設けている。なお、８０は、リストレスト部を示している。
【００３９】
第３実施例の作業台Ｗ３は、図５に示すように、カバー部９０が開口部５０ｂ１，５０ｂ２の上方の位置を覆うように構成したので、ネールアートの施術を行う際に用いるアクリルリキッド、アセトン、リムーバーなどの溶剤が施術中に垂れても、カバー部９０によって受け止められ、直接、第１ファン６１，第２ファン６２に落下することがないので、衛生的である。
【００４０】
図５において、５０ｃは側面板を、５０ｄは排気口を示している。排気口５０ｄに接する位置には、第１ファン６１，第２ファン６２が吸引したエアーに含まれる有機溶剤を除去する脱臭フィルター７０ｂを設け、脱臭フィルター７０ｂよりも内側の位置には、吸引したエアーに含まれる粉塵を除去する粉塵フィルター７０ａを配設している。
【００４１】
本発明は上記の例に限らず、各請求項に記載された技術的思想の範囲内で、適宜実施の形態を変更しても良いことは言うまでもない。例えば、実施例では、開口部１ｂは長方形状に開口している例を開示したが、円形状に開口していても良い。
【産業上の利用可能性】
【００４２】
本発明の作業台は、例えばネイルサロンなどの専門店に限らず、ネイルアートを楽しむ一般ユーザ向けにも適用できるものである。
【図面の簡単な説明】
【００４３】
【図１】本発明の作業台を上方から見た説明図である。
【図２】図１のＡ−Ａ’線における断面図である。
【図３】ファンを２つ設けた第２実施例の説明図である。
【図４】カバー部を設けた第３実施例の説明図である。
【図５】図４のＢ−Ｂ’線における断面図である。
【符号の説明】
【００４４】
Ｗ，Ｗ２，Ｗ３  作業台
１    筐体
１ａ  上面板
１ａａ  上面板の周縁部
１ａｂ  傾斜面
１ｂ  開口部
１ｂａ  開口部の開口縁
１ｃ  側面板
１ｄ  排気口
１ｅ  底面板
２    ファン
３ａ  粉塵フィルター
３ｂ  脱臭フィルター
４    網状部材
５    リストレスト部
６    スイッチ
９０  カバー部
【図１】
2010104611.tif 000003
【図２】
2010104611.tif 000004
【図３】
2010104611.tif 000005
【図４】
2010104611.tif 000006
【図５】
2010104611.tif 000007